(57)【特許請求の範囲】
【請求項１】
読み取り対象物を支持する支持面と、当該支持面の下方に設けられ、前記支持面によって支持された読み取り対象物の画像を読み取り可能な読取部とを含む第一ユニットと、
ヒンジ部を介して前記第一ユニットに連結されて、前記支持面を覆う閉位置、及び前記支持面から離間する開位置へ変位可能に構成された第二ユニットと、
前記第一ユニットに設けられた電気的機構と前記第二ユニットに設けられた電気的機構とを接続する配線と、
を備え、
前記ヒンジ部は、第一部材と、前記第一部材に対して回動可能に取り付けられた第二部材とを有し、前記第一部材が前記第一ユニットに対して上下動可能に取り付けられるとともに、前記第二部材が前記第二ユニットに対して変位不能に取り付けられることにより、前記第二ユニットが、前記第一ユニットに対して第一方向に延びる軸心周りに回動可能、かつ上下動可能に連結され、
前記第一ユニットにおいて、前記支持面に平行かつ前記第一方向に直交する第二方向における両端である第一端及び第二端のうち、前記第二端寄りの箇所には、前記第一部材を上下動可能に保持する保持部が設けられて、前記第一部材は、当該第一部材が有する第一面を前記第一端に向けるとともに、当該第一部材が有する第二面を前記第二端に向けた状態で前記保持部によって保持されており、
前記配線は、前記第一ユニットと前記第二ユニットとの間において上下方向に延在する第一延在部を有し、当該第一延在部は、前記第二方向については、前記第一部材の前記第一面がある位置から前記第一ユニットの前記第二端がある位置までの範囲内に配置され、
前記配線には、少なくとも一つのフラットケーブルと、当該フラットケーブル以外のケーブルとが含まれており、前記第一延在部では、前記フラットケーブルと当該フラットケーブル以外のケーブルとが、互いの間に間隔を空けて前記第二方向から見て重なる位置に配置されており、
前記第一延在部は、前記第一方向に間隔を空けて対向する第一壁部と第二壁部との間に配置されており、前記第一延在部において、前記フラットケーブルは、幅方向が前記第一方向に沿うように配置されるとともに、厚さ方向が前記第二方向に沿うように配置されており、
前記第一ユニットの上部には、前記支持面を構成するプラテンと前記読取部とを支持可能に構成された樹脂製のスキャナベース部が設けられ、
前記第一壁部及び前記第二壁部は、前記スキャナベース部に一体成形されている
画像読取装置。
【請求項２】
請求項１に記載の画像読取装置であって、
前記第一壁部を挟んで隣り合う位置に、前記第一延在部が配置された領域と前記保持部とが設けられている
画像読取装置。
【請求項３】
請求項１又は請求項２に記載の画像読取装置であって、
前記配線は、前記第一延在部の下端から上方へとＵターンする形状に湾曲する湾曲部を有する
画像読取装置。
【請求項４】
請求項１から請求項３までのいずれか一項に記載の画像読取装置であって、
前記第一延在部が配置される領域には、前記フラットケーブルと前記フラットケーブル以外のケーブルとを隔離する第一隔離部が設けられている
画像読取装置。
【請求項５】
請求項１から請求項４までのいずれか一項に記載の画像読取装置であって、
前記第一ユニットは、前記第二端に設けられ、シートを支持可能なシート支持部と、前記シート支持部によって支持されたシートを所定の搬送経路に沿って搬送する搬送部と、前記搬送部によって搬送されるシートに対して画像を形成する画像形成部とを有し、
前記第一延在部は、前記第一方向について、前記ヒンジ部と前記シート支持部との間に設けられている
画像読取装置。
【請求項６】
請求項１から請求項５までのいずれか一項に記載の画像読取装置であって、
前記配線は、前記第一延在部の上端から湾曲して前記第二方向へと延びる第二延在部を有し、
前記第二延在部が配置される領域には、前記フラットケーブルと前記フラットケーブル以外のケーブルとを隔離する第二隔離部が設けられている
画像読取装置。
【発明の詳細な説明】
【技術分野】
【０００１】
本発明は、画像読取装置に関する。
【背景技術】
【０００２】
自動原稿送り装置（Automatic Document Feeder；以下、ＡＤＦと称する。）でシートを搬送し、そのシートの両面の画像を第一読取部及び第二読取部によって読み取り可能に構成された画像読取装置が知られている（例えば、特許文献１参照。）。上記特許文献１に記載された画像読取装置の場合、第一ユニットに第一読取部が設けられ、第一ユニットの上に配設された第二ユニットに第二読取部とＡＤＦが設けられている。
【０００３】
また、上記特許文献１に記載された画像読取装置の場合、フラットベッド型の画像読取装置としての構成を備えている。より詳しくは、第一ユニットには、読み取り対象物を支持するプラテンが設けられ、上述の第一読取部は、プラテンの下方においてプラテンに沿って移動可能に構成されている。第二ユニットは、プラテンを覆う閉位置、及びプラテンから離間する開位置へ変位可能に構成され、第二ユニットが、プラテンによって支持される読み取り対象物を覆うカバーとして機能するように構成されている。
【０００４】
さらに、上記特許文献１に記載された画像読取装置の場合、第二ユニットに設けられた第二読取部やＡＤＦは、第一ユニットに設けられた制御部によって制御される。そのため、第一ユニットと第二ユニットとの間には、第二読取部と制御部とを接続するフラットケーブル、及びＡＤＦと制御部とを接続するワイヤハーネス（以下、これらを総称して配線とも称する。）が設けられている。
【先行技術文献】
【特許文献】
【０００５】
【特許文献１】特開２０１１−２１１５９５号公報
【発明の概要】
【発明が解決しようとする課題】
【０００６】
ところで、上記画像読取装置の場合、第一ユニットと第二ユニットとの間において、フラットケーブルとワイヤハーネスそれぞれの配線箇所は、第二ユニットの回動中心軸線が延びる第一方向（特許文献１中でいう左右方向。）について、互いに離間した位置にある。より詳しくは、第一ユニットと第二ユニットとの間において、フラットケーブルの配線箇所は、上述の第一方向について、装置の一端から他端までの範囲のうち、一端寄りにある。一方、第一ユニットと第二ユニットとの間において、ワイヤハーネスの配線箇所は、上述の第一方向について、装置の上記一端から上記他端までの範囲のうち、上記他端寄りにある。
【０００７】
しかし、フラットケーブルとワイヤハーネスそれぞれの配線箇所が、上述の第一方向について互いに離間した位置に確保されると、各配線箇所が別個に上述の第一方向について所定寸法の領域を占有することになる。そのため、上述の第一方向について画像読取装置の寸法が大型化する一因となっている。
【０００８】
以上のような事情から、第二ユニットの回動中心軸線が延びる第一方向について、装置をコンパクトにすることが可能な画像読取装置を提供することが望ましい。
【課題を解決するための手段】
【０００９】
以下に説明する画像読取装置は、読み取り対象物を支持する支持面と、当該支持面の下方に設けられ、支持面によって支持された読み取り対象物の画像を読み取り可能な読取部とを含む第一ユニットと、ヒンジ部を介して第一ユニットに連結されて、支持面を覆う閉位置、及び支持面から離間する開位置へ変位可能に構成された第二ユニットと、第一ユニットに設けられた電気的機構と第二ユニットに設けられた電気的機構とを接続する配線とを備え、ヒンジ部は、第一部材と、第一部材に対して回動可能に取り付けられた第二部材とを有し、第一部材が第一ユニットに対して上下動可能に取り付けられるとともに、第二部材が第二ユニットに対して変位不能に取り付けられることにより、第二ユニットが、第一ユニットに対して第一方向に延びる軸心周りに回動可能、かつ上下動可能に連結され、第一ユニットにおいて、支持面に平行かつ第一方向に直交する第二方向における両端である第一端及び第二端のうち、第二端寄りの箇所には、第一部材を上下動可能に保持する保持部が設けられて、第一部材は、当該第一部材が有する第一面を第一端に向けるとともに、当該第一部材が有する第二面を第二端に向けた状態で保持部によって保持されており、配線は、第一ユニットと第二ユニットとの間において上下方向に延在する第一延在部を有し、当該第一延在部は、第二方向については、第一部材の第一面がある位置から第一ユニットの第二端がある位置までの範囲内に配置され、配線には、少なくとも一つのフラットケーブルと、当該フラットケーブル以外のケーブルとが含まれており、第一延在部では、フラットケーブルと当該フラットケーブル以外のケーブルとが、互いの間に間隔を空けて第二方向から見て重なる位置に配置されている。
【００１０】
このように構成された画像読取装置によれば、上述のような第一延在部においては、フラットケーブルとフラットケーブル以外のケーブルとが、互いの間に間隔を空けて第二方向から見て重なる位置に配置されている。そのため、これらのケーブルが第二方向から見て第一方向に間隔を空けて重ならない位置に配置されている場合に比べ、ケーブルの配置に必要な領域が占める寸法を第一方向について削減することができ、装置の第一方向寸法をコンパクトにすることができる。
【図面の簡単な説明】
【００１１】
【図１】図１は複合機の構成を示すブロック図である。
【図２】図２は読取ユニット及び第二ユニットの縦断面図である。
【図３】図３は第一ユニット及び第二ユニットの平面図である。
【図４】図４（Ａ）は図３中にＩＶＡ−ＩＶＡ線で示した切断箇所における第一ユニット及び第二ユニットの断面図である。図４（Ｂ）は図４（Ａ）においては閉位置にあった第二ユニットが開位置にある状態を示す断面図である。
【図５】図５は図４（Ａ）中に示したＶ部を拡大して示す断面図である。
【図６】図６（Ａ）は図３中にＶＩＡ−ＶＩＡ線で示した切断箇所における第一ユニット及び第二ユニットの断面図である。図６（Ｂ）は図６（Ａ）においては収納位置にあったシート支持部が使用位置にある状態を示す断面図である。
【図７】図７は図６（Ｂ）中に示したＶＩＩ部を拡大して示す断面図である。
【図８】図８（Ａ）はＡＤＦユニットにおける配線経路を示す斜視図である。図８（Ｂ）は読取ユニットにおける配線経路を示す斜視図である。
【図９】図９はＡＤＦユニット及び読取ユニットにおける配線経路を示す斜視図である。
【図１０】図１０（Ａ）は読取ユニットにおける配線経路を示す斜視図である。図１０（Ｂ）は読取ユニットにおける配線経路を示す斜視図である。
【図１１】図１１はＡＤＦユニット及び読取ユニットにおける配線経路を正面視した断面図である。
【図１２】図１２は読取ユニットにおける配線経路を平面視した断面図である。
【発明を実施するための形態】
【００１２】
次に、上述の画像読取装置について、例示的な実施形態を挙げて説明する。
［複合機の構成］
図１に示す複合機１は、上述の画像読取装置の一例に相当する構成を備えるものである。複合機１は、図１に示すように、本体ユニット２、読取ユニット３、及びＡＤＦユニット４を備える。これらのうち、本体ユニット２及び読取ユニット３が本明細書でいう第一ユニットの一例に相当し、ＡＤＦユニット４が本明細書でいう第二ユニットの一例に相当する。
【００１３】
本体ユニット２には、制御部１１、第一搬送部１２（本明細書でいう搬送部の一例に相当。）、画像形成部１３、ＬＡＮ通信部１４、及び操作パネル１５等が配設されている。読取ユニット３には、第一イメージセンサ１６（本明細書でいう読取部の一例に相当。）、及びイメージセンサ駆動部１７等が配設されている。ＡＤＦユニット４には、第二イメージセンサ１８、及び第二搬送部１９等が配設されている。
【００１４】
制御部１１は、周知のＣＰＵ、ＲＯＭ、及びＲＡＭ等を備え、ＣＰＵがＲＯＭやＲＡＭに記憶された制御プログラムに従って所定の処理を実行することで、複合機１の各部を制御するための処理が実行される。
【００１５】
第一搬送部１２は、被記録媒体を第一搬送経路に沿って搬送方向下流側へと搬送可能に構成される。より詳しくは、第一搬送部１２は、モータ、第一搬送経路を規定する複数のローラ、モータからいくつかのローラへ動力を伝達する動力伝達部、及び複数のローラとともに第一搬送経路を規定するガイド部材等を備える。モータは、制御部１１に制御されて作動する。複数のローラのうち、いくつかのローラはモータから伝達される動力で回転駆動される。また、残りのローラは、回転駆動されるローラとの間に被記録媒体を挟み込む位置に配設され、回転駆動されるローラ又は搬送される被記録媒体に追従して回転する。ガイド部材は、例えば、回転駆動されるローラ間に配設され、ローラによって搬送されるシートを案内する。
【００１６】
画像形成部１３は、第一搬送部１２によって搬送される被記録媒体に対し、インクジェット方式で画像を形成可能に構成されている。より詳しくは、画像形成部１３は、インクを噴射する記録ヘッド、及び記録ヘッドを往復移動させるための駆動機構等を備える。なお、画像形成部１３は、電子写真方式で被記録媒体に画像を形成可能に構成されていてもよい。ＬＡＮ通信部１４は、無線ＬＡＮに対応した通信インターフェース装置、及び有線ＬＡＮに対応した通信インターフェース装置によって構成されている。
【００１７】
操作パネル１５は、利用者が複合機１に対して各種指令を与える際に操作する入力装置（例えば、タッチパネル、各種ボタン類、及びスイッチ類。）と、複合機１の動作状態などを利用者に通知するための出力装置（例えば、液晶ディスプレイ装置、及び各種ランプ類。）を有する。
【００１８】
第一イメージセンサ１６は、一方向に配列された複数の読取素子を有するセンサであり、本実施形態においては、密着イメージセンサ（ＣＩＳ；Contact Image Sensor）が採用されている。イメージセンサ駆動部１７は、第一イメージセンサ１６が有する複数の読取素子の配列方向を主走査方向として、主走査方向に直交する副走査方向へ第一イメージセンサ１６を移動させるための構成である。
【００１９】
より詳しくは、図２に示すように、読取ユニット３には透明な板状部材によって構成される第一プラテン２１及び第二プラテン２２が配設されている。第一プラテン２１は、本明細書でいう支持面を構成する部材であり、読み取り対象物を支持可能に構成されている。第一プラテン２１及び第二プラテン２２の下方には、第一プラテン２１及び第二プラテン２２と略平行に延在するガイドレール２３が設けられている。ガイドレール２３には、ガイドレール２３に沿って往復移動可能なキャリッジ２４が搭載され、第一イメージセンサ１６はキャリッジ２４に搭載されている。イメージセンサ駆動部１７は、モータ、及びモータからキャリッジ２４へ動力を伝達する動力伝達部等によって構成される。
【００２０】
第一イメージセンサ１６は、第一プラテン２１に沿って移動可能であり、第一プラテン２１に沿って移動しながら第一プラテン２１によって支持された読み取り対象物の画像を読み取る。ＡＤＦユニット４の下面には、読み取り対象物を第一プラテン２１に向かって押圧する押圧部２０が設けられている。
【００２１】
第二イメージセンサ１８は、一方向に配列された複数の読取素子を有するセンサであり、本実施形態においてはＣＩＳが採用されている。第二搬送部１９は、ＡＤＦユニット４が有する構成であり、画像の読み取り対象となるシートを所定の第二搬送経路に沿って搬送方向下流側へと搬送可能に構成される。より詳しくは、第二搬送部１９は、図２に示すように、吸入ローラ２５、分離ローラ２６Ａ、分離片２６Ｂ、第一搬送ローラ２７Ａ、第一ピンチローラ２７Ｂ、第二搬送ローラ２８Ａ、第二ピンチローラ２８Ｂ、排出ローラ２９Ａ、及び排出ピンチローラ２９Ｂ等を備える。
【００２２】
第一イメージセンサ１６は、第二プラテン２２に対向する位置へ移動可能で、第二プラテン２２に対向する位置で静止して、第二搬送部１９によって搬送されて第二プラテン２２に接触しつつ通過するシートの第一面の画像を読み取る。第二イメージセンサ１８は、第三プラテン３１に対向する位置に配設されており、第二搬送部１９によって搬送されて第三プラテン３１に接触しつつ通過するシートの第二面の画像を読み取る。
【００２３】
［ＡＤＦユニットの開閉機構、及びシート支持部の詳細］
ＡＤＦユニット４は、図３に示すように、左右方向（本明細書でいう第一方向の一例に相当。）に間隔を空けて配設された一対の第一ヒンジ部５１，５１（本明細書でいうヒンジ部の一例に相当。）を介して読取ユニット３に連結されている。これにより、ＡＤＦユニット４は、左右方向に延びる軸線Ｒ１を中心に回動可能に構成されている。ＡＤＦユニット４が軸線Ｒ１を中心に回動することで、ＡＤＦユニット４は、図４（Ａ）に示す閉位置と、図４（Ｂ）に示す開位置との間で変位する。なお、図４（Ａ）及び図４（Ｂ）には、一方の第一ヒンジ部５１しか表れないが、他方の第一ヒンジ部５１は一方の第一ヒンジ部５１とほぼ同様な構造とされている。
【００２４】
ＡＤＦユニット４が閉位置にある場合、ＡＤＦユニット４は、読取ユニット３を覆う。この状態においては、ＡＤＦユニット４に設けられた押圧部２０で、第一プラテン２１によって支持された読み取り対象物を、第一プラテン２１に向かって押圧することができる。また、この状態においては、ＡＤＦユニット４に組み込まれた第二搬送部１９を使用することができ、第二搬送部１９によって搬送されるシートを第二プラテン２２に接触させることができる。
【００２５】
一方、ＡＤＦユニット４が開位置にある場合、ＡＤＦユニット４は、読取ユニット３から離間する。この状態においては、第一プラテン２１の上方か開放されるため、利用者は、第一プラテン２１に読み取り対象物をセットしたり、第一プラテン２１に支持されている読み取り対象物を第一プラテン２１から取り除いたりすることができる。
【００２６】
読取ユニット３は、左右方向に間隔を空けて配設された一対の第二ヒンジ部５２，５２（但し、図４（Ａ）及び図４（Ｂ）には、一方の第二ヒンジ部５２を図示。）を介して本体ユニット２に連結されている。これにより、読取ユニット３は、左右方向に延びる軸線Ｒ２（図３参照。）を中心に回動可能に構成されている。軸線Ｒ２は、軸線Ｒ１と平行に延びている。一方の第二ヒンジ部５２は、一方の第一ヒンジ部５１のほぼ直下にあり、他方の第二ヒンジ部５２は、他方の第一ヒンジ部５１（図３，図４（Ａ），及び図４（Ｂ）参照。）のほぼ直下にある。なお、他方の第二ヒンジ部５２は、一方の第二ヒンジ部５２とほぼ同様な構造とされている。
【００２７】
軸線Ｒ２を中心に読取ユニット３を回動させることにより、本体ユニット２に設けられた開口（図示略。）を開閉することができる。本体ユニット２に設けられた開口が開かれた場合には、開口を介して本体ユニット２の内部に配設された各部（例えば、画像形成部１３。）のメンテナンス（例えばジャム処理。）等を実施することができる。
【００２８】
第一ヒンジ部５１は、図５に示すように、第一部材５１１と、第二部材５１２とを有する。読取ユニット３における前後方向（本明細書でいう第二方向の一例に相当。）の両端である前端（本明細書でいう第一端の一例に相当。）及び後端（本明細書でいう第二端の一例に相当。）のうち、後端寄りの箇所には保持部５６が設けられている。保持部５６は、読取ユニット３の上面から下向きに凹む開口部であり、第一部材５１１は、保持部５６に挿し込まれて、上下動可能な状態で保持されている。第二部材５１２は、第一部材５１１に対して回動可能に取り付けられている。また、第二部材５１２は、ＡＤＦユニット４に対しては変位不能に取り付けられ、ＡＤＦユニット４と一体に変位する。
【００２９】
上述のような第一部材５１１及び保持部５６を設けることにより、ＡＤＦユニット４が第一ヒンジ部５１，５１とともに上方へ変位可能となる。そのため、第一プラテン２１に厚みのある読み取り対象物（例えば、ブック原稿。）をセットする場合には、ＡＤＦユニット４を第一ヒンジ部５１，５１とともに上方へと変位させて、厚みのある読み取り対象物をＡＤＦユニット４で覆うことができる。
【００３０】
読取ユニット３の後端には、図６（Ａ）、図６（Ｂ）、及び図７に示すように、被記録媒体を支持可能なシート支持部６１が配設されている。シート支持部６１は、左右方向に延びる軸線Ｒ２を中心に回動可能に構成されている。すなわち、本実施形態の場合、シート支持部６１と読取ユニット３は、回動中心が一致している（すなわち、同一の軸線Ｒ２上に回動中心がある。）。
【００３１】
シート支持部６１が軸線Ｒ２を中心に回動すると、シート支持部６１は、図６（Ａ）に示す収納位置と、図６（Ｂ）に示す使用位置との間で変位する。シート支持部６１が使用位置にある場合には、シート支持部６１に複数の被記録媒体をセットすることができる。上述の第一搬送部１２は、シート支持部６１から第一搬送経路に沿って搬送方向下流側へと被記録媒体を搬送可能に構成される。図７に示すように、本体ユニット２には、被記録媒体を第一搬送経路へ導入するための導入口６３が設けられ、シート支持部６１が使用位置にある場合には、上述の導入口６３が開放される。利用者は、被記録媒体を導入口６３に挿し込むかたちで、被記録媒体をシート支持部６１にセットすることができる。
【００３２】
導入口６３付近には、供給ローラ６５が配設されている。供給ローラ６５は、ホルダ６７に対して取り付けられ、左右方向と平行に延びる軸線Ｒ３を中心に回転可能に支持されている。ホルダ６７は、左右方向と平行に延びる軸線Ｒ４を中心に揺動可能にシート支持部６１に支持されている。そのため、供給ローラ６５は、軸線Ｒ３を中心に回転可能、かつ軸線Ｒ４を中心に揺動可能な状態にある。ホルダ６７には、駆動ギヤ６９１，６９２，６９３，６９４が取り付けられている。駆動ギヤ６９１の回転中心はホルダ６７の揺動中心（軸線Ｒ４）に一致し、駆動ギヤ６９４の回転中心は供給ローラ６５の回転中心（軸線Ｒ３）に一致している。
【００３３】
第一搬送部１２が作動して図示しないモータからの動力が駆動ギヤ６９１に伝達されると、駆動ギヤ６９１が回転駆動されるのに伴い、動力が駆動ギヤ６９２、及び駆動ギヤ６９３を介して駆動ギヤ６９４へと伝達される。供給ローラ６５は、駆動ギヤ６９４と一体に回転するように構成され、供給ローラ６５が回転駆動されると、シート支持部６１にセットされた被記録媒体が、図７中に破線で示す経路（第一搬送経路）に沿って搬送方向下流側へと搬送される。このとき、シート支持部６１に複数の被記録媒体がセットされていれば、複数の被記録媒体は一枚ずつ搬送方向下流側へと搬送される。図７中に破線で示した経路よりも搬送方向下流側には、上述の画像形成部１３等が配設されていて、被記録媒体に対して画像が形成される。なお、画像形成部１３の構造そのものは周知なので、これ以上の説明については省略する。
【００３４】
［本体ユニット−ＡＤＦユニット間の配線の詳細］
複合機１は、図８（Ａ）及び図８（Ｂ）に示すように、第一フラットケーブル７１（本明細書でいうフラットケーブルの一例に相当。本実施形態においてはＦＦＣ（Flexible Flat Cable）を利用。）、及び第一ワイヤハーネス７２（本明細書でいうフラットケーブル以外のケーブルの一例に相当。）を備えている。これら第一フラットケーブル７１、及び第一ワイヤハーネス７２は、本体ユニット２に設けられた電気的機構（本実施形態の場合は制御部１１。）とＡＤＦユニット４に設けられた電気的機構（本実施形態の場合は第二イメージセンサ１８及び第二搬送部１９。）とを接続する配線である。
【００３５】
また、複合機１は、図８（Ｂ）に示すように、第二フラットケーブル７３（本実施形態においてはＦＦＣ（Flexible Flat Cable）を利用。）、及び第二ワイヤハーネス７４を備えている。これら第二フラットケーブル７３、及び第二ワイヤハーネス７４は、本体ユニット２に設けられた電気的機構（本実施形態の場合は制御部１１。）と読取ユニット３に設けられた電気的機構（本実施形態の場合は第一イメージセンサ１６及びイメージセンサ駆動部１７。）とを接続する配線である。
【００３６】
第一フラットケーブル７１、及び第一ワイヤハーネス７２は、図８（Ａ）及び図８（Ｂ）に示すように、本体ユニット２とＡＤＦユニット４との間において上下方向に延在する第一延在部７１Ａ，７２Ａを有する。また、第一フラットケーブル７１、及び第一ワイヤハーネス７２は、図８（Ａ）及び図９に示すように、第一延在部７１Ａ，７２Ａの上端から前方へ湾曲して前後方向に延びる第二延在部７１Ｂ，７２Ｂを有する。
【００３７】
第一延在部７１Ａ，７２Ａの上端部分（すなわち、第二延在部７１Ｂ，７２Ｂに連続する部分。）は、図８（Ａ）に示すように、ＡＤＦユニット４を構成する樹脂部品であるＡＤＦベース部４Ａによって画定された箇所に配置されている。また、第一延在部７１Ａ，７２Ａは、上述の上端部分から下方へと延びる部分が、図８（Ｂ）に示すように、読取ユニット３を構成する樹脂部品であるスキャナベース部３Ａによって画定された箇所へと導入されている。
【００３８】
スキャナベース部３Ａには、図８（Ｂ）に示すように、左右方向に間隔を空けて対向する第一壁部７５と第二壁部７６が一体成形されている。第一延在部７１Ａ，７２Ａは、第一壁部７５と第二壁部７６との間に配置されている。第一フラットケーブル７１は、第一延在部７１Ａにおいて、幅方向が左右方向に沿うように配置されるとともに、厚さ方向が前後方向に沿うように配置される。第一壁部７５を挟んで隣り合う位置には、第一延在部７１Ａ，７２Ａが配置された領域と保持部５６とが設けられている。
【００３９】
スキャナベース部３Ａには、図１０（Ａ）及び図１０（Ｂ）に示すように、第一隔離部８１が設けられている。第一隔離部８１は、左右方向、及び上下方向に延びる壁であり、第一延在部７１Ａ，７２Ａにおいて、第一フラットケーブル７１と第一ワイヤハーネス７２を隔離している。これにより、第一フラットケーブル７１と第一ワイヤハーネス７２が互いに接触しないように配設されている。
【００４０】
ＡＤＦベース部４Ａには、図８（Ａ），図９，及び図１１に示すように、第二隔離部８２が設けられている。第二隔離部８２は、前後方向、及び上下方向に延びる壁であり、第二延在部７１Ｂ，７２Ｂにおいて、第一フラットケーブル７１と第一ワイヤハーネス７２を隔離している。これにより、第一フラットケーブル７１と第一ワイヤハーネス７２が互いに接触しないように配設されている。
【００４１】
第一フラットケーブル７１、及び第一ワイヤハーネス７２は、図９及び図１０（Ｂ）に示すように、第一延在部７１Ａ，７２Ａの下端から上方へとＵターンする形状に湾曲する湾曲部７１Ｃ，７２Ｃを有する。ＡＤＦユニット４が読取ユニット３に対して上方へ変位した際、第一延在部７１Ａ，７２ＡがＡＤＦユニット４に追従して上方へ変位すると、湾曲部７１Ｃ，７２Ｃが変形しつつ変位する。これにより、第一フラットケーブル７１及び第一ワイヤハーネス７２に作用する張力が増大するのを抑制することができる。
【００４２】
なお、スキャナベース部３Ａには、図１０（Ａ）に示すように、第三隔離部８３、第四隔離部８４、及び第五隔離部８５が設けられている。第三隔離部８３は、第一隔離部８１に連続し、左右方向、及び上下方向に延びる壁であり、第一フラットケーブル７１と第二ワイヤハーネス７４を隔離している。これにより、第一フラットケーブル７１と第二ワイヤハーネス７４が互いに接触しないように配設されている。第四隔離部８４は、第一隔離部８１及び第三隔離部よりも前方に設けられ、かつ左右方向、及び上下方向に延びる壁であり、第一フラットケーブル７１と第二フラットケーブル７３を隔離している。これにより、第一フラットケーブル７１と第二フラットケーブル７３が互いに接触しないように配設されている。第五隔離部８５は、第一隔離部８１及び第三隔離部よりも後方に設けられ、かつ前後方向、及び上下方向に延びる壁であり、第一ワイヤハーネス７２と第二ワイヤハーネス７４を隔離している。これにより、第一ワイヤハーネス７２と第二ワイヤハーネス７４が互いに接触しないように配設されている。また、スキャナベース部３Ａには、図１１に示すように、第六隔離部８６が設けられている。第六隔離部８６は、保持部５６に隣接する位置で前後方向、及び上下方向に延びる壁であり、第二フラットケーブル７３と第二ワイヤハーネス７４を隔離している。これにより、第二フラットケーブル７３と第二ワイヤハーネス７４が互いに接触しないように配設されている。
【００４３】
ところで、第一ヒンジ部５１が有する第一部材５１１は、図１２に示すように、第一部材５１１が有する第一面５１１Ａを読取ユニット３の前端に向けるとともに、第一部材５１１が有する第二面５１１Ｂを読取ユニット３の後端に向けた状態で保持部５６によって保持されている。このような第一ヒンジ部５１に対し、第一延在部７１Ａ，７２Ａは、前後方向については、第一部材５１１の第一面５１１Ａがある位置Ｐ１から読取ユニット３の後端がある位置Ｐ２までの範囲内に配置されている。
【００４４】
また、第一延在部７１Ａ，７２Ａでは、第一フラットケーブル７１と第一ワイヤハーネス７２は、前後方向に間隔を空けて配設されている。また、第一延在部７１Ａ，７２Ａでは、左右方向について、第一フラットケーブル７１の配設範囲Ａ１と第一ワイヤハーネス７２の配設範囲Ａ２が、図１２に示すように、前後方向から見て重なる位置にある。また、左右方向について、第一延在部７１Ａ，７２Ａは、第一フラットケーブル７１の配設範囲Ａ１と第一ワイヤハーネス７２の配設範囲Ａ２が、前後方向から見て第一ヒンジ部５１の配設範囲Ａ３とシート支持部６１の配設範囲Ａ４との間にある。
【００４５】
［効果］
以上のように構成された複合機１によれば、上述のような第一延在部７１Ａ，７２Ａにおいては、第一フラットケーブル７１と第一ワイヤハーネス７２とが、互いの間に前後方向に間隔を空けて前後方向から見て重なる位置に配置されている。そのため、これらのケーブルが前後方向から見て左右方向に間隔を空けて重ならない位置に配置されている場合に比べ、第一フラットケーブル７１と第一ワイヤハーネス７２の配置に必要な領域が占める寸法を左右方向について削減することができ、複合機１の左右方向寸法をコンパクトにすることができる。
【００４６】
また、本実施形態の複合機１の場合、上述の第一壁部７５と第二壁部７６とによって第一延在部７１Ａ，７２Ａの配設領域が画定されているので、第一延在部７１Ａ，７２Ａを設計通りの位置に保持することができる。また、第一延在部７１Ａ，７２Ａにおいて、第一フラットケーブル７１は、幅方向が左右方向に沿うように配置されるとともに、厚さ方向が前後方向に沿うように配置されているので、第一フラットケーブル７１の幅方向が前後方向に沿うように配置される場合に比べ、第一延在部７１Ａ，７２Ａの収容領域を前後方向についてコンパクトにすることができる。
【００４７】
また、本実施形態の複合機１の場合、第一壁部７５及び第二壁部７６は、スキャナベース部３Ａに一体成形されているので、第一壁部７５及び第二壁部７６を設けるに当たって、スキャナベース部３Ａとは別体の部品を利用しなくても済み、部品点数及び組立工数の削減を図ることができる。
【００４８】
また、本実施形態の複合機１の場合、第一延在部７１Ａ，７２Ａが配置された領域と保持部５６が第一壁部７５を挟んで隣り合う位置に設けられている。そのため、第一延在部７１Ａ，７２Ａが配置された領域と保持部５６が第一壁部７５の厚さ以上に離間した位置に設けられる場合に比べ、装置の左右方向寸法をコンパクトにすることができる。
【００４９】
また、本実施形態の複合機１の場合、第一隔離部８１によって第一フラットケーブル７１と第一ワイヤハーネス７２との接触を抑制する。したがって、第一ワイヤハーネス７２から発生するノイズ等に起因して、第一フラットケーブル７１を介した通信に影響が出るのを抑制することができる。
【００５０】
また、本実施形態の複合機１の場合、第二隔離部８２によって第一フラットケーブル７１と第一ワイヤハーネス７２との接触を抑制する。したがって、第一ワイヤハーネス７２から発生するノイズ等に起因して、第一フラットケーブル７１を介した通信に影響が出るのを抑制することができる。
【００５１】
［補足］
以上、画像読取装置について、例示的な実施形態を挙げて説明したが、上述の実施形態は本発明の一態様として例示されるものに過ぎない。すなわち、本発明は、上述の例示的な実施形態に限定されるものではなく、本発明の技術的思想を逸脱しない範囲内において、様々な形態で実施することができる。
【００５２】
例えば、上記実施形態では、本体ユニット２に対して回動可能な読取ユニット３を備えていたが、読取ユニット３を回動可能に構成するか否かは任意である。また、本明細書でいう第一ユニットが本体ユニット２と読取ユニット３とで構成されるか否かも任意である。
【００５３】
また、上記実施形態では、本明細書でいう第二ユニットの一例として、ＡＤＦとしての機能を備えるＡＤＦユニット４を例示したが、本明細書でいう第二ユニットがＡＤＦとしての機能を備えるか否かは任意である。例えば、本明細書でいう第二ユニットは、フラットベッド方式のイメージスキャナが有するプラテンを覆うカバー部として構成されていてもよい。
【００５４】
あるいは、本明細書でいう第一ユニットがフラットベッド方式のイメージスキャナとしての構成を備えるか否かも任意であり、画像形成部１３を収容する部分が本明細書でいう第一ユニット、画像形成部１３に対するメンテナンスを行う際に開かれるカバー部が本明細書でいう第二ユニットとなっていてもよい。すなわち、複合機１として構成されるか否かは任意であり、単機能のプリンタとして構成された装置に対し、本発明を適用してもよい。
【００５５】
なお、以上説明した例示的な実施形態から明らかなように、本明細書で説明した画像読取装置は、更に以下に挙げるような構成を備えていてもよい。
まず、本明細書で説明した画像読取装置において、第一延在部は、第一方向に間隔を空けて対向する第一壁部と第二壁部との間に配置されており、第一延在部において、フラットケーブルは、幅方向が第一方向に沿うように配置されるとともに、厚さ方向が第二方向に沿うように配置されていてもよい。
【００５６】
このように構成された画像読取装置によれば、第一壁部と第二壁部とによって第一延在部の配設領域が画定されているので、第一延在部を設計通りの位置に保持することができる。また、第一延在部において、フラットケーブルは、幅方向が第一方向に沿うように配置されるとともに、厚さ方向が第二方向に沿うように配置されているので、フラットケーブルの幅方向が第二方向に沿うように配置される場合に比べ、第一延在部の収容領域を第二方向についてコンパクトにすることができる。
【００５７】
また、本明細書で説明した画像読取装置において、第一ユニットの上部には、支持面を構成するプラテンと読取部とを支持可能に構成された樹脂製のスキャナベース部が設けられ、第一壁部及び第二壁部は、スキャナベース部に一体成形されていてもよい。
【００５８】
このように構成された画像読取装置によれば、上述のような第一壁部及び第二壁部を設けるに当たって、スキャナベース部とは別体の部品を利用しなくても済み、部品点数及び組立工数の削減を図ることができる。
【００５９】
また、本明細書で説明した画像読取装置において、第一壁部を挟んで隣り合う位置に、第一延在部が配置された領域と保持部とが設けられていてもよい。
このように構成された画像読取装置によれば、第一延在部が配置された領域と保持部が第一壁部を挟んで隣り合う位置に設けられるので、第一延在部が配置された領域と保持部が第一壁部の厚さ以上に離間した位置に設けられる場合に比べ、装置の第一方向寸法をコンパクトにすることができる。
【００６０】
また、本明細書で説明した画像読取装置において、配線は、第一延在部の下端から上方へとＵターンする形状に湾曲する湾曲部を有してもよい。
このように構成された画像読取装置によれば、第二ユニットを上方へ変位させた際に、第二ユニットとともに第一延在部が上方へ変位しても、湾曲部は、湾曲部の一端の位置を変位させることなく、湾曲部の他端を第一延在部に追従させるように変形する。したがって、湾曲部の一端よりも先の配線に余計な負荷がかかるのを抑制することができる。
【００６１】
また、本明細書で説明した画像読取装置において、第一延在部が配置される領域には、フラットケーブルとフラットケーブル以外のケーブルとを隔離する第一隔離部が設けられていてもよい。
【００６２】
このように構成された画像読取装置によれば、第一隔離部によってフラットケーブルとフラットケーブル以外のケーブルとの接触を抑制する。したがって、フラットケーブル以外のケーブルから発生するノイズ等に起因して、フラットケーブルを介した通信に影響が出るのを抑制することができる。
【００６３】
また、本明細書で説明した画像読取装置において、第一ユニットは、第二端に設けられ、シートを支持可能なシート支持部と、シート支持部によって支持されたシートを所定の搬送経路に沿って搬送する搬送部と、搬送部によって搬送されるシートに対して画像を形成する画像形成部とを有し、第一延在部は、第一方向について、ヒンジ部とシート支持部との間に設けられていてもよい。
【００６４】
また、本明細書で説明した画像読取装置において、配線は、第一延在部の上端から湾曲して第二方向へと延びる第二延在部を有し、第二延在部が配置される領域には、フラットケーブルとフラットケーブル以外のケーブルとを隔離する第二隔離部が設けられていてもよい。
【００６５】
このように構成された画像読取装置によれば、第二隔離部によってフラットケーブルとフラットケーブル以外のケーブルとの接触を抑制する。したがって、フラットケーブル以外のケーブルから発生するノイズ等に起因して、フラットケーブルを介した通信に影響が出るのを抑制することができる。
【符号の説明】
【００６６】
１…複合機、２…本体ユニット、３…読取ユニット、３Ａ…スキャナベース部、４…ＡＤＦユニット、４Ａ…ＡＤＦベース部、１１…制御部、１２…第一搬送部、１３…画像形成部、１４…ＬＡＮ通信部、１５…操作パネル、１６…第一イメージセンサ、１７…イメージセンサ駆動部、１８…第二イメージセンサ、１９…第二搬送部、２０…押圧部、２１…第一プラテン、２２…第二プラテン、２３…ガイドレール、２４…キャリッジ、２５…吸入ローラ、２６Ａ…分離ローラ、２６Ｂ…分離片、２７Ａ…第一搬送ローラ、２７Ｂ…第一ピンチローラ、２８Ａ…第二搬送ローラ、２８Ｂ…第二ピンチローラ、２９Ａ…排出ローラ、２９Ｂ…排出ピンチローラ、３１…第三プラテン、５１…第一ヒンジ部、５１１…第一部材、５１１Ａ…第一面、５１１Ｂ…第二面、５１２…第二部材、５２…第二ヒンジ部、５６…保持部、６１…シート支持部、６３…導入口、６５…供給ローラ、６７…ホルダ、６９１〜６９４…駆動ギヤ、７１…第一フラットケーブル、７１Ａ…第一延在部、７１Ｂ…第二延在部、７１Ｃ…湾曲部、７２…第一ワイヤハーネス、７２Ａ…第一延在部、７２Ｂ…第二延在部、７２Ｃ…湾曲部、７３…第二フラットケーブル、７４…第二ワイヤハーネス、７５…第一壁部、７６…第二壁部、８１…第一隔離部、８２…第二隔離部、８３…第三隔離部、８４…第四隔離部、８５…第五隔離部、８６…第六隔離部。
【図１】
0006610005.tif 000002
【図２】
0006610005.tif 000003
【図３】
0006610005.tif 000004
【図４】
0006610005.tif 000005
【図５】
0006610005.tif 000006
【図６】
0006610005.tif 000007
【図７】
0006610005.tif 000008
【図８】
0006610005.tif 000009
【図９】
0006610005.tif 000010
【図１０】
0006610005.tif 000011
【図１１】
0006610005.tif 000012
【図１２】
0006610005.tif 000013